(57)【要約】【課題】  ユーザに違和感を与えることなく、アイコンの焼き付きを目立たなくすることを目的とする。【解決手段】  画像を表示する表示部と、前記表示部に前記画像を表示するときに、画像表示装置の状態又は機能を図案化した指標を予め設定された第１位置に重畳表示し、前記指標を重畳表示した後の所定のタイミングで、前記画像と重畳表示された前記指標を前記第１位置から前記第１位置とは異なる第２位置に移動させる表示制御部とを備える画像表示装置。【選択図】      図１
2011128187.tif 000002
【特許請求の範囲】
【請求項１】
画像を表示する表示部と、
前記表示部に前記画像を表示するときに、画像表示装置の状態又は機能を図案化した指標を予め設定された第１位置に重畳表示し、前記指標を重畳表示した後の所定のタイミングで、前記画像と重畳表示された前記指標を前記第１位置から該第１位置とは異なる第２位置に移動させる表示制御部と
を備えることを特徴とする画像表示装置。
【請求項２】
請求項１に記載の画像表示装置において、
前記画像表示装置の姿勢が変化したか否かを判定する姿勢判定部を備え、
前記表示制御部は、前記姿勢に変化があると判定されたときに、前記指標を第１位置から、前記第２位置に移動させる
ことを特徴とする画像表示装置。
【請求項３】
請求項１又は請求項２に記載の画像表示装置において、
前記表示制御部は、複数の前記指標を整列して重畳表示する
ことを特徴とする画像表示装置。
【請求項４】
請求項１から請求項３のいずれか１項に記載の画像表示装置を備える
ことを特徴とする撮像装置。
【請求項５】
請求項４に記載の画像表示装置と、
第１画像と、前記第１画像とは異なる第２画像とを取得する撮像部と、
前記第２画像を前記表示部に表示することで撮影時の構図を決定した後前記第１画像を取得する撮影モードと、撮影に係る設定を行う設定モードとの間で切り替えるモード切替部とをさらに備え、
前記表示制御部は、前記撮影モードのときに前記第２画像を前記表示部に表示する際、前記指標を前記第１位置に重畳表示するとともに、前記撮影モードから前記設定モードに切り替わった後、再度、撮影モードに切り替わったことを受けて、前記第１位置にある指標を前記第２位置に移動させる
ことを特徴とする撮像装置。
【請求項６】
請求項４に記載の画像表示装置と、
第１画像と、前記第１画像とは異なる第２画像とを取得する撮像部と、
画像を含む画像を記憶する記憶部と、
前記第２画像を前記表示部に表示することで撮影時の構図を決定した後前記第１画像を取得する撮影モードと、前記記憶部に記憶された画像を再生する再生モードとの間で切り替えるモード切替部とをさらに備え、
前記表示制御部は、前記撮影モードのときに前記第２画像を前記表示部に表示する際、前記指標を前記第１位置に重畳表示するとともに、前記撮影モードから前記再生モードに切り替わったことを受けて、前記第１位置にある指標を前記第２位置に移動させる
ことを特徴とする撮像装置。
【発明の詳細な説明】
【技術分野】
【０００１】
本発明は、画像を表示する画像表示装置及び画像を取得する撮像装置に関する。
【背景技術】
【０００２】
従来から、有機ＥＬ(Electro Luminescence)ディスプレイやＣＲＴ(Cathode-Ray Tube)ディスプレイなどの画像表示装置において、同じ画像を長時間表示すると、パネルに焼き付きが生じてしまうという問題があった。そのため、スクリーンセーバーや、所定の時間毎に画像を移動させることにより、画像全体の焼き付きを防止する方法が提案されている（例えば、特許文献１など）。また、近年、所定の時間毎に取得されたスルー画像と撮影条件などを示すアイコンとを重畳表示する撮像装置が知られている。
【先行技術文献】
【特許文献】
【０００３】
【特許文献１】特開２０００−２２７７７５号公報
【発明の概要】
【発明が解決しようとする課題】
【０００４】
上述した撮像装置において同じアイコンを長時間表示した場合、表示されるアイコンの周縁形状に合わせてパネルの一部が焼き付いてしまい、アイコンを非表示状態にしたときに画像が見難くなってしまう。例えば特許文献１の焼き付き防止方法をパネルに表示されるアイコンに適用すると、所定の時間毎にアイコンの位置が移動し、また表示されるアイコンがそれぞれ異なる方向へ移動してしまい、アイコン自体が認識しづらく、ユーザに違和感を与えてしまう。
【０００５】
そこで、本発明の画像表示装置及び撮像装置は、ユーザに違和感を与えることなく、アイコンの焼き付きを目立たなくすることを目的とする。
【課題を解決するための手段】
【０００６】
本発明の画像表示装置は、画像を表示する表示部と、前記表示部に前記画像を表示するときに、画像表示装置の状態又は機能を図案化した指標を予め設定された第１位置に重畳表示し、前記指標を重畳表示した後の所定のタイミングで、前記画像と重畳表示された前記指標を前記第１位置から該第１位置とは異なる第２位置に移動させる表示制御部とを備えることを特徴とする。
【０００７】
また、前記画像表示装置の姿勢が変化したか否かを判定する姿勢判定部を備え、前記表示制御部は、前記姿勢に変化があると判定されたときに、前記指標を第１位置から、前記第２位置に移動させても良い。
また、前記表示制御部は、複数の前記指標を整列して重畳表示しても良い。
【０００８】
本発明の撮像装置は、本発明の画像表示装置を備える。
【０００９】
なお、第１画像と、前記第１画像とは異なる第２画像とを取得する撮像部と、前記第２画像を前記表示部に表示することで撮影時の構図を決定した後、前記第１画像を取得する撮影モードと、撮影に係る設定を行う設定モードとの間で切り替えるモード切替部とをさらに備え、前記表示制御部は、前記撮影モードのときに前記第２画像を前記表示部に表示する際、前記指標を前記第１位置に重畳表示するとともに、前記撮影モードから前記設定モードに切り替わった後、再度、撮影モードに切り替わったことを受けて、前記第１位置にある指標を前記第２位置に移動させても良い。
また、第１画像と、前記第１画像とは異なる第２画像とを取得する撮像部と、少なくとも前記第１画像を含む画像を記憶する記憶部と、前記第２画像を前記表示部に表示することで撮影時の構図を決定した後、前記第１画像を取得する撮影モードと、前記記憶部に記憶された画像を再生する再生モードとの間で切り替えるモード切替部とをさらに備え、前記表示制御部は、前記撮影モードのときに前記第２画像を前記表示部に表示する際、前記指標を前記第１位置に重畳表示するとともに、前記撮影モードから前記再生モードに切り替わったことを受けて、前記第１位置にある指標を前記第２位置に移動させても良い。
【発明の効果】
【００１０】
本発明の画像表示装置及び撮像装置によれば、ユーザに違和感を与えることなく、アイコンの焼き付きを目立たなくすることができる。
【図面の簡単な説明】
【００１１】
【図１】本発明の実施形態における撮像装置１０の構成を示すブロック図である。
【図２】（ａ）スルー画像と、撮影モードの設定などを示すアイコンとを重畳表示する例を示す図である。（ｂ）再生画像と、再生モード時に実行可能な機能を示すアイコンとを重畳表示する例を示す図である。
【図３】（Ａ）正位置Ｐ１を示す図である。（Ｂ）逆位置Ｐ２を示す図である。（Ｃ）縦位置Ｐ３を示す図である。（Ｄ）縦位置Ｐ４を示す図である。
【図４】アイコンのそれぞれが予め設定された基準位置に配置された場合の、各配置領域を示す図である。
【図５】配置領域６０の移動方向７０〜７７を示す図である。
【図６】各配置領域の組み合わせの例を示す図である。
【図７】撮影モード中に撮像装置１０の姿勢に変化があった場合の表示処理の流れを示すフローチャートである。
【図８】上端縁部の配置領域を移動方向７０に、下端縁部の配置領域を移動方向７４に移動させた配置パターンの例である。
【図９】撮影モードから再生モードに移行した場合の表示処理の流れを示すフローチャートである。
【図１０】対になる配置領域をそれぞれ、移動方向７１、移動方向７７、移動方向７３、移動方向７５に移動させた配置パターンの例である。
【図１１】撮影モードから設定モードに移行した場合の表示処理の流れを示すフローチャートである。
【図１２】撮影モード中に本画像を取得した場合の表示処理の流れを示すフローチャートである。
【発明を実施するための形態】
【００１２】
以下、図面を用いて本発明の実施形態について、撮像装置を用いて説明する。図１は、本実施形態における撮像装置１０の構成を示すブロック図である。
【００１３】
図１に示すように、撮像装置１０は、撮像レンズ１１、撮像素子１２、Ａ／Ｄ変換部１３、バッファメモリ１４、表示部１５、タッチパネル１６、フラッシュＲＡＭ１７、記録Ｉ／Ｆ部１８、記録媒体１９、姿勢検出センサ２０、操作部２１、ＣＰＵ２２、バス２３を備える。
【００１４】
撮像レンズ１１は、撮像素子１２の結像面に被写体像を結像する。撮像素子１２は、撮像レンズ１１を通過した被写体光を光電変換し、Ｒ、Ｇ、Ｂの各色に対応するアナログ画像信号を出力する。撮影モードにおいて、撮像素子１２は、所定間隔毎に間引き読み出しを行い、スルー画像を取得する。その後、撮像素子１２は、後述するレリーズ釦２４が全押しされると本画像を取得する。撮像素子１２から出力される画像信号は、Ａ／Ｄ変換部１３に入力される。Ａ／Ｄ変換部１３は、撮像素子１２から出力されるアナログの画像信号をデジタルの画像信号に変換する。なお、このデジタルの画像信号は、１コマにまとめられ、画像データとしてバッファメモリ１４に記録される。バッファメモリ１４は、後述する画像処理部３０による画像処理の前工程や後工程で画像データを一時的に記録する。
【００１５】
表示部１５は、例えば、有機ＥＬディスプレイにより構成され、各種の画像を表示する。表示部１５に表示される各種の画像は、スルー画像、本画像、メニュー画像、後述する記録媒体１９に記録された画像（以下、再生画像と称する）等である。なお、再生画像は、静止画像及び動画像を含む。また、この他に、表示部１５は、撮影モードや再生モードの際に、撮影時の設定や状態、或いは再生時に実行できる機能を図案化したアイコンを表示する。以下、図２を用いて、撮影モードと再生モードとのそれぞれのモードにおける表示部１５の表示態様について説明する。
【００１６】
図２（ａ）に示すように、撮影モードの場合には、表示部１５は、スルー画像と、撮影モードの設定や撮影モードにおける撮像装置の状態などを示すアイコンとを重畳表示する。この撮影モードの場合に重畳表示されるアイコンとしては、例えば撮影モードであることを示すアイコン４０、撮影シーンの種類を示すアイコン４１、セルフタイマーのＯＮ／ＯＦＦを示すアイコン４２、マクロモードのＯＮ／ＯＦＦを示すアイコン４３、撮影する画像の画素数を示すアイコン４４、撮影した画像の数を示すアイコン４５、手振れ補正中であることを示すアイコン４６、フラッシュの設定を示すアイコン４７が挙げられる。
【００１７】
また、図２（ｂ）に示すように、再生モードの場合には、表示部１５は、再生画像と、再生モード時に実行可能な機能を示すアイコンとを重畳表示する。この再生モードの場合に重畳表示されるアイコンとしては、例えば再生モードであることを示すアイコン５０、画像を編集するモードへの移行指示を受け付けるアイコン５１、画像の削除指示を受け付けるアイコン５２、拡大表示指示を受け付けるアイコン５３、サムネイル画像の表示指示を受け付けるアイコン５４、前の再生画像の表示指示を受け付けるアイコン５５、次の再生画像の表示指示を受け付けるアイコン５６、画像の印刷指示を受け付けるアイコン５７が挙げられる。なお、これらアイコン４０〜４７、アイコン５０〜５７が示す内容についてはその説明を省略する。また、図２（ａ）、（ｂ）に示すように、各アイコンは同じ大きさである。
【００１８】
タッチパネル１６は、パネル表面での指（またはスタイラスなど）の接触位置を検出する。タッチパネル１６の出力はＣＰＵ２２に接続されている。なお、タッチパネル１６は、表示部１５の前方に、且つ表示部１５に表示された画像をユーザに視認させることができるように、表示部１５の表示画面と略同一の大きさからなる透明なパネルで構成されている。また、タッチパネル１６は、静電気による電気信号を感知する静電容量式のパネルや、圧力による電圧の変化を検知する抵抗膜式のパネルなどが用いられる。
【００１９】
フラッシュＲＡＭ１７は、ファームウェア、アイコンが配置される領域（以下、配置領域）の位置（詳細には、位置情報）の組み合わせ（以下、配置パターン）や撮像装置１０の各姿勢に対応するアイコンなどのデータを記憶している。なお、配置パターンは、複数種類のパターンからなる。この配置パターンについては後述する。
【００２０】
記録Ｉ／Ｆ部１８は、記録媒体１９を接続するためのコネクタを備えている。この記録Ｉ／Ｆ部１８と記録媒体１９とが接続されることにより、記録媒体１９に対してデータの書き込み／読み出しが実行される。
【００２１】
姿勢検出センサ２０は、撮像レンズ１１の光軸を回転中心とした場合の撮像装置１０の回転角度を検出する。この姿勢検出センサ２０は、例えば錘にかかる重力の方向を基準として撮像装置１０の回転角度を検出する角度センサや、姿勢角を検出できるジャイロセンサなどの公知の姿勢センサで構成されている。なお、姿勢検出センサ２０により検出される回転角度は、撮像装置１０の姿勢が図３（Ａ）に示す正位置Ｐ１（撮像装置１０の天面が上を向いている状態で横向きに撮像装置１０を構える位置）となるときの回転角度を０度としている。
【００２２】
操作部２１は、レリーズ釦２４、十字キー２５、撮影釦２６、再生釦２７、メニュー釦２８等を有する。レリーズ釦２４は、撮像時にユーザにより操作される。十字キー２５は、上記のメニュー画像等で操作される。撮影釦２６は、撮影モードへ移行するときに操作される。再生釦２７は、再生モードへ移行するときに操作される。また、メニュー釦２８は、設定モードに移行するときに操作される。なお、レリーズ釦２４、十字キー２５、撮影釦２６、再生釦２７、メニュー釦２８の状態はＣＰＵ２２により検知され、検知された釦やキーの状態に基づいたシーケンスが実行される。
【００２３】
ＣＰＵ２２は、所定のシーケンスプログラムにしたがって、撮像装置１０の統括的な制御を行うとともに、撮像時に必要となる各種演算（ＡＦ、ＡＥ等）を実行する。また、ＣＰＵ２２は、姿勢判定部２９、画像処理部３０、表示制御部３１を備える。姿勢判定部２９は、姿勢検出センサ２０が出力した回転角度に基づいて、撮像装置１０の姿勢を判定する。この撮像装置１０の姿勢の判定としては、図３（Ａ）に示す正位置Ｐ１、図３（Ｂ）に示す逆位置Ｐ２（正位置Ｐ１の姿勢の撮像装置１０を１８０度回転させた姿勢）、図３（Ｃ）に示す縦位置Ｐ３（正位置Ｐ１の姿勢の撮像装置１０を反時計回りに９０度回転させた姿勢）、図３（Ｄ）に示す縦位置Ｐ４（正位置Ｐ１の姿勢の撮像装置１０を時計回りに９０度回転させた姿勢）のいずれの状態に近いかを判定するものである。
【００２４】
画像処理部３０は、バッファメモリ１４に記録された画像データに対して画像処理を施す。なお、この画像処理としては、周知のホワイトバランス調整、色補間、階調変換処理、輪郭強調処理等が挙げられる。また、画像処理部３０は、ＪＰＥＧ（Joint Photographic Experts Group）形式等で圧縮する処理や、圧縮された上記のデータを伸長復元する処理をも実行する。
【００２５】
表示制御部３１は、上述した表示部１５に対する表示制御を実行する。この表示制御部３１における表示制御としては、上述した画像（スルー画像、本画像、メニュー画像及び再生画像）を表示部１５に表示させる制御の他に、これら画像とアイコンとを重畳表示させる制御が含まれる。なお、表示制御部３１における表示制御としては、撮像装置１０の姿勢の変化や、モードの切り替えに応じてアイコンの表示位置を変更する制御も含まれる。上述したアイコンは、撮像装置１０にて設定されるモードに拘わらず、表示部１５の予め設定された位置（基準位置）に配置される。例えば、撮像装置１０の姿勢が変化した場合には、表示制御部３１は、姿勢判定部２９が判定した姿勢に対応するアイコンをフラッシュＲＡＭ１７から読み出す。また、複数の配置パターンのいずれかの配置パターンをフラッシュＲＡＭ１７から読み出す。これらデータの読み出しの後、表示制御部３１は、読み出したアイコンを、読み出した配置パターンにて設定される各配置領域に配置し、配置したアイコンと画像とを表示部１５に重畳表示する。
【００２６】
バス２３は、バッファメモリ１４、表示部１５、フラッシュＲＡＭ１７、ＣＰＵ２２、記録Ｉ／Ｆ部１８を相互に接続することにより、データや信号の出入力を実行する。
【００２７】
ここで、アイコンの表示位置について説明する。以下、表示部１５の上端縁部と、下端縁部とにそれぞれ４個のアイコンが表示される場合について説明する。図４は、アイコンのそれぞれが予め設定された基準位置に配置された場合の、各配置領域を示している。なお、この基準位置は、撮像装置１０の電源をオンしたときの撮像装置１０の姿勢に関係なく、固定である。この基準位置においては、表示部１５の上端縁部に配置される４個の配置領域（符号６０〜符号６３）、及び下端縁部に配置される４個の配置領域（符号６４〜符号６７）は、それぞれ水平方向（図中左右方向）に、且つ所定の間隔を空けて配置される。なお、水平方向において、各アイコンの配置領域の位置は、それぞれ同一位置となる。
【００２８】
次に、撮像装置１０の姿勢に応じて用いられるアイコンについて説明する。上述したように、フラッシュＲＡＭ１７は、撮像装置１０の各姿勢に対応するアイコンを予め記憶している。例えば、撮像装置１０が正位置Ｐ１のときに用いられるアイコンは、図２（ａ）のアイコンと同じものである（図３（Ａ）参照）。また、逆位置Ｐ２に用いられるアイコンは、正位置Ｐ１のときに用いられるアイコンを１８０度回転させたものである。また、縦位置Ｐ３及び縦位置Ｐ４に対応するアイコンは、それぞれ正位置Ｐ１のときに用いられるアイコンをそれぞれ９０度、２７０度回転させたものである。つまり、撮像装置１０の姿勢が変化しても、その変化に応じたアイコンが用いられる。よって、撮像装置１０の姿勢が変化した場合であっても、その姿勢の変化に応じたアイコンが表示されることになり、ユーザにとって見やすいものとなる。
【００２９】
図５は、基準位置に配置された上端縁部左端のアイコンの配置領域（以下、配置領域６０と称する）の移動方向を示す図である。図５に示すように、配置領域６０の移動方向としては、真上に移動させる移動方向７０、右上に移動させる移動方向７１、右横に移動させる移動方向７２、右下に移動させる移動方向７３、真下に移動させる移動方向７４、左下に移動させる移動方向７５、左横に移動させる移動方向７６、左上に移動させる移動方向７７の８つの方向が挙げられる。また、配置領域６０の移動量は、表示部１５の１画素分とする。
【００３０】
フラッシュＲＡＭ１７に記憶される配置パターンは、上述した基準位置となる配置領域の組み合わせを示す配置パターンの他に、例えば基準位置にある配置領域を移動方向７０〜７７のいずれかの方向に移動させたときの配置領域の組み合わせを示す配置パターンからなる。以下、配置パターンとしては、基準位置にある配置領域の組み合わせを示す配置パターンの他に、隣り合う２つの配置領域（符号６０と符号６１、符号６２と符号６３、符号６４と符号６５、符号６６と符号６７）を対になる配置領域とし、対になる配置領域をそれぞれ同一方向に移動させ、移動後の配置領域のうち、表示部１５の上端縁部の配置領域が水平方向に沿って配列されるように、また、表示部１５の下端縁部の配置領域が水平方向に沿って配列されるときの各配置領域の組み合わせを例に取り上げる。図６は、各配置領域の組み合わせの例を示す図である。図６に示すように、各配置領域の組み合わせとして、８通りの配置パターンが挙げられる。なお、点線は、基準位置の配置領域を示し、実線は、基準位置の配置領域を移動させたときの配置領域を示す。また、配置パターンは、図６に示す配置パターン以外でも良い。
【００３１】
次に、図７のフローチャートを用いて、撮影モード中に撮像装置１０の姿勢に変化があった場合の表示処理の流れを説明する。なお、以下のフローチャートは、電源がオンされたことを契機に実行される。また、表示制御部３１が対になる配置領域６０、６１を移動方向７０から昇順に変更していく例を示す。
【００３２】
ステップＳ１０１は、撮影モードを開始する処理である。撮像素子１２は、スルー画像を取得する。そして、画像処理部３０は、スルー画像にホワイトバランス調整、色補間などを行う。また、姿勢判定部２９は、姿勢検出センサ２０により出力された回転角度に基づいて、撮像装置１０の姿勢を判定する。以下、撮像装置１０の姿勢が正位置Ｐ１と判定された例を示す。
【００３３】
ステップＳ１０２は、スルー画像と基準位置に配置したアイコンとを重畳表示する処理である。表示制御部３１は、正位置Ｐ１に対応するアイコン４０〜４７をフラッシュＲＡＭ１７から読み出す。同時に、表示制御部３１は、フラッシュＲＡＭ１７から基準位置となる配置パターンを読み出す。表示制御部３１は、読み出した配置パターンから得られる配置領域の位置情報を用いて、スルー画像にアイコンを重畳させる。そして、アイコンが各配置領域に配置したスルー画像を表示部１５に表示させる。これにより、ユーザは、スルー画像と、アイコン４０〜４７とが重畳表示された画像を、表示部１５を介して視認することができる。
【００３４】
ステップＳ１０３は、姿勢の変化があるか否かを判定する処理である。姿勢判定部２９は、姿勢検出センサ２０により出力された回転角度に基づいて、撮像装置１０の姿勢を判定する。そして、ＣＰＵ２２は、該姿勢とステップＳ１０１における姿勢（正位置Ｐ１）とを比較する。ＣＰＵ２２は、撮像装置１０の姿勢に変化がある場合（ステップＳ１０３の判定がＹＥＳとなる場合）には、ステップＳ１０４に進む。一方、ＣＰＵ２２は、撮像装置１０の姿勢に変化がない場合（ステップＳ１０３の判定がＮＯとなる場合）には、スルー画像の取得を継続する。
【００３５】
ステップＳ１０４は、姿勢に対応するアイコンを読み出す処理である。表示制御部３１は、ステップＳ１０３で姿勢判定部２９が判定した姿勢に対応するアイコン４０〜４７をフラッシュＲＡＭ１７から読み出す。
【００３６】
ステップＳ１０５は、アイコンの配置パターンを選択する処理である。表示制御部３１は、フラッシュＲＡＭ１７から、基準位置となる配置パターンの上端縁部の配置領域６０〜６３を移動方向７０に、下端縁部の配置領域６４〜６７を移動方向７４に移動させた配置パターンを選択する。この配置パターンの例を図８に示す。図８の点線は、基準位置の配置領域６０〜６７を示し、実線は、移動後の配置領域６０’〜６７’を示す。
【００３７】
ステップＳ１０６は、スルー画像と、選択した配置パターンに配置したアイコンとを重畳表示する処理である。表示制御部３１は、スルー画像と、ステップＳ１０４で読み出し、ステップＳ１０５で選択した配置パターンに配置したアイコン４０〜４７とを表示部１５に重畳表示する。
【００３８】
ステップＳ１０７は、電源がオフされたか否かを判定する処理である。ＣＰＵ２２は、不図示の電源釦が押された場合（ステップＳ１０７の判定がＹＥＳとなる場合）には、ステップＳ１０８に進む。一方、ＣＰＵ２２は、電源釦が押されていない場合（ステップＳ１０７の判定がＮＯとなる場合）には、ステップＳ１０３に戻り、姿勢の変化があるか否かを判定する。
【００３９】
ステップＳ１０８は、アイコンの配置パターンをリセットする処理である。表示制御部３１は、アイコンの配置パターンをリセットし、一連の処理を終了する。
【００４０】
次に、図９のフローチャートを用いて、撮影モードから再生モードに移行した場合の表示処理の流れを説明する。
【００４１】
ステップＳ２０１、ステップＳ２０２は、図７のステップＳ１０１、ステップＳ１０２と同様の処理である。
【００４２】
ステップＳ２０３は、再生モードに移行するか否かを判定する処理である。ＣＰＵ２２は、再生釦２７が押されたか否かを判定する。ＣＰＵ２２は、再生釦２７が押された場合（ステップＳ２０３の判定がＹＥＳとなる場合）には、ステップＳ２０４に進む。一方、ＣＰＵ２２は、再生釦２７が押されていない場合（ステップＳ２０３の判定がＮＯとなる場合）には、撮影モードを継続する。
【００４３】
ステップＳ２０４は、図７のステップＳ１０５と同様の処理である。
【００４４】
ステップＳ２０５は、再生画像と、選択した配置パターンに配置したアイコンとを重畳表示する処理である。表示制御部３１は、ステップＳ２０２の表示を終了する。そして、表示制御部３１は、再生画像と、ステップＳ２０４で選択した配置パターンに配置したアイコン５０〜５７とを表示部１５に重畳表示する。ＣＰＵ２２は、タッチパネル１６を介してアイコン５０〜５７のいずれかが選択された場合は、選択された項目に応じた処理を行う。
【００４５】
ステップＳ２０６は、撮影モードに戻るか否かを判定する処理である。ＣＰＵ２２は、撮影釦２６が押されたか否かを判定する。ＣＰＵ２２は、撮影釦２６が押された場合（ステップＳ２０６の判定がＹＥＳとなる場合）には、ステップＳ２０７に進む。一方、ＣＰＵ２２は、撮影釦２６が押されていない場合（ステップＳ２０６の判定がＮＯとなる場合）には、再生モードを継続する。
【００４６】
ステップＳ２０７は、アイコンの配置パターンを選択する処理である。表示制御部３１は、フラッシュＲＡＭから、基準位置となる配置パターンの対になる配置領域をそれぞれ、移動方向７１、移動方向７７、移動方向７３、移動方向７５に移動させた配置パターンを選択する。この配置パターンの例を図１０に示す。図１０の点線は、基準位置の配置領域６０〜６７を示し、実線は、移動後の配置領域６０’’〜６７’’を示す。
【００４７】
ステップＳ２０８は、スルー画像と、選択した配置パターンに配置したアイコンとを重畳表示する処理である。表示制御部３１は、ステップＳ２０５の表示を終了する。そして、表示制御部３１は、スルー画像と、ステップＳ２０７で選択した配置パターンに配置したアイコン４０〜４７とを表示部１５に重畳表示する。
【００４８】
ステップＳ２０９、ステップＳ２１０は、図７のステップＳ１０７、ステップＳ１０８と同様の処理である。
【００４９】
次に、図１１のフローチャートを用いて、撮影モードから設定モードに移行した場合の表示処理の流れを説明する。
【００５０】
ステップＳ３０１、ステップＳ３０２は、図７のステップＳ１０１、ステップＳ１０２と同様の処理である。
【００５１】
ステップＳ３０３は、設定モードに移行するか否かを判定する処理である。ＣＰＵ２２は、メニュー釦２８が押されたか否かを判定する。ＣＰＵ２２は、メニュー釦２８が押された場合（ステップＳ３０３の判定がＹＥＳとなる場合）には、ステップＳ３０４に進む。一方、ＣＰＵ２２は、メニュー釦２８が押されていない場合（ステップＳ３０３の判定がＮＯとなる場合）には、撮影モードを継続する。
【００５２】
ステップＳ３０４は、表示部１５にメニュー画像を表示する処理である。表示制御部３１は、ステップＳ３０２の表示を終了する。そして、表示制御部３１は、メニュー画像を表示部１５に表示する。ＣＰＵ２２は、タッチパネル１６を介して設定項目が選択された場合は、選択された設定項目に応じた処理を行う。
【００５３】
ステップＳ３０５は、撮影モードに戻るか否かを判定する処理である。ＣＰＵ２２は、撮影釦２６が押されたか否かを判定する。ＣＰＵ２２は、撮影釦２６が押された場合（ステップＳ３０５の判定がＹＥＳとなる場合）には、ステップＳ３０６に進む。一方、ＣＰＵ２２は、撮影釦２６が押されていない場合（ステップＳ３０５の判定がＮＯとなる場合）には、設定モードを継続する。
【００５４】
ステップＳ３０６は、図７のステップＳ１０５と同様の処理である。
【００５５】
ステップＳ３０７は、スルー画像と、選択した配置パターンに配置したアイコンとを重畳表示する処理である。表示制御部３１は、ステップＳ３０４の表示を終了する。そして、表示制御部３１は、スルー画像と、ステップＳ３０６で選択した配置パターンに配置したアイコン４０〜４７とを表示部１５に重畳表示する。
【００５６】
ステップＳ３０８、ステップＳ３０９は、図７のステップＳ１０７、ステップＳ１０８と同様の処理である。
【００５７】
次に、図１２のフローチャートを用いて、撮影モード中に本画像を取得した場合の表示処理の流れを説明する。
【００５８】
ステップＳ４０１、ステップＳ４０２は、図７のステップＳ１０１、ステップＳ１０２と同様の処理である。
【００５９】
ステップＳ４０３は、レリーズ釦２４が全押しされたか否かを判定する処理である。ＣＰＵ２２は、レリーズ釦２４が全押しされた場合（ステップＳ４０３の判定がＹＥＳとなる場合）には、ステップＳ４０４に進む。一方、ＣＰＵ２２は、レリーズ釦２４が全押しされていない場合（ステップＳ４０３の判定がＮＯとなる場合）には、スルー画像の取得を継続する。
【００６０】
ステップＳ４０４は、本画像を取得する処理である。撮像素子１２は、本画像を取得する。そして、画像処理部３０は、本画像にホワイトバランス調整、色補間などを行い、表示用のフリーズ画像を生成する。
【００６１】
ステップＳ４０５は、暗黒画像、フリーズ画像を表示する処理である。表示制御部３１は、ステップＳ４０２の表示を終了し、暗黒画像を表示部１５に表示する。そして、表示制御部３１は、暗黒画像の表示を終了し、フリーズ画像を表示部１５に表示する。
【００６２】
ステップＳ４０６〜ステップＳ４０９は、図１１のステップＳ３０６〜ステップＳ３０９と同様の処理である。
【００６３】
以上説明したように、本実施形態の撮像装置１０は、姿勢の変化や、モードの切り替えに応じて、アイコンの表示位置を変更する。そのため、アイコンの周縁形状に合わせて表示部１５の一部が焼き付いても、その境界をぼかすことができる。また、姿勢の変化や、モードの切り替えとともに、アイコンの表示位置が変わるので、ユーザは、アイコンの表示位置が変わったことに気付きにくい。したがって、本実施形態の撮像装置１０によれば、ユーザに違和感を与えることなく、アイコンの焼き付きを目立たなくすることができる。
【００６４】
なお、上記の実施形態では、撮影モードの場合に表示するアイコンとして、アイコン４０〜４７を示し、再生モードの場合に表示するアイコンとして、アイコン５０〜５７を示したが、各アイコンが示す内容、アイコンの数、大きさ、配置領域は一例であり、限定されない。例えば、アイコン４０〜４７の大きさと、アイコン５０〜５７の大きさとは、異なっても良い。また、撮影モードの場合に表示するアイコンの数と、再生モードの場合に表示するアイコンの数とは、異なっても良い。
【００６５】
また、上記の実施形態では、配置領域６０の移動方向として７０〜７７の例を示したが、移動方向は、これに限定されない。また、各配置領域の移動量を表示部１５の１画素分とする例を示したが、移動量はこれに限定されない。また、各配置領域の移動量は、撮像素子１２の所定画素数分（例えば、１画素分）を移動量に設定しても良い。
【００６６】
また、上記の実施形態では、撮像装置１０の各姿勢に対応するアイコンをフラッシュＲＡＭ１７に予め記憶している例を示したが、これに限らない。例えば、撮像装置１０が正位置Ｐ１のときに用いられるアイコンのみをフラッシュＲＡＭ１７に記憶しておく。そして、表示制御部３１は、撮像装置１０の姿勢が逆位置Ｐ２、縦位置Ｐ３、縦位置Ｐ４の場合は、それぞれ正位置Ｐ１のときに用いられるアイコンをそれぞれ１８０度、９０度、２７０度回転させたものを用いても良い。
【００６７】
また、上記の実施形態では、表示制御部３１は、配置領域６０を移動方向７０から昇順に変更していく例を示したが、これに限らない。例えば、表示制御部３１は、移動方向７７から降順に変更しても良いし、ランダムに変更しても良い。また、表示制御部３１は、設定モードにおいて、配置パターンの変更順序を設定する項目を表示し、タッチパネル１６を介して配置パターンの変更順序を受け付けても良い。さらに、表示制御部３１は、電源がオフされた場合に、アイコンの配置パターンをリセットせず、記録しても良い。そして、表示制御部３１は、再度電源がオンされた場合に、スルー画像と、記録した配置パターンに配置したアイコン４０〜４７とを重畳表示しても良い。
【００６８】
また、上記の実施形態では、９つの配置パターンを予め記憶し、姿勢の変化や、モードの切り替えに応じて、いずれかの配置パターンを選択する例を示したが、これに限らない。例えば、配置パターンを記憶しなくても良い。この場合、表示制御部３１は、姿勢の変化や、モードの切り替えに応じて、配置領域の移動方向を決定し、移動後の配置領域の位置を算出する。そして、表示制御部３１は、算出結果を用いて、配置領域を移動させても良い。
【００６９】
また、上記の実施形態では、アイコンの表示位置を変更する例を示したが、これに限らない。例えば、アイコンの表示位置を変更するとともに、アイコンのアウトラインを変更しても良い。これにより、さらにアイコンの焼き付きを目立たなくすることができる。
【００７０】
また、上記の実施形態では、図９のステップＳ２０４で、アイコンの配置パターンを１回選択する例を示したが、これに限らない。例えば、再生モードにおいて、再生画像を表示する前に暗黒画像を表示する場合、アイコンの表示位置が変わっても、ユーザは、アイコンの表示位置が変わったことに気付きにくい。そのため、この場合、表示制御部３１は、前の再生画像又は次の再生画像を表示する毎に、配置パターンを選択しても良い。これにより、さらにアイコンの焼き付きを目立たなくすることができる。
【００７１】
また、上記の実施形態では、図９のステップＳ２０７において、図１０に示す配置パターンを選択する例を示したが、これに限らない。例えば、表示制御部３１は、基準位置となる配置パターンを選択しても良い。
【００７２】
また、上記の実施形態では、表示部１５が有機ＥＬディスプレイにより構成される例を示したが、これに限らない。例えば、液晶ディスプレイやＣＲＴディスプレイにより構成されても良い。さらに、タッチパネル１６を備える撮像装置１０の例を示したが、タッチパネル１６を備えない撮像装置にも本発明を同様に適用することができる。
【００７３】
また、上記の実施形態では、撮像装置１０を例に挙げて説明したが、これに限らない。例えば、図１に示した以外の構成を有する撮像装置にも本発明を同様に適用することができる。また、デジタルフォトフレームやパソコンなどの画像表示装置にも本発明を同様に適用することができる。なお、パソコンは、撮像装置を取り付け可能な構成であっても良い。この場合、パソコンが画像表示装置として機能する。さらに、図１に示す機能や、図７、９、１１、１２に示すフローチャートの流れをプログラムとしてコンピュータ読み取り可能な記録媒体に記録し、該プログラムをコンピュータにて実行するようにしても良い。
【符号の説明】
【００７４】
１０…撮像装置、１２…撮像素子、１５…表示部、２０…姿勢検出センサ、２１…操作部、２２…ＣＰＵ、２９…姿勢判定部、３１…表示制御部
【図１】
2011128187.tif 000003
【図２】
2011128187.tif 000004
【図３】
2011128187.tif 000005
【図４】
2011128187.tif 000006
【図５】
2011128187.tif 000007
【図６】
2011128187.tif 000008
【図７】
2011128187.tif 000009
【図８】
2011128187.tif 000010
【図９】
2011128187.tif 000011
【図１０】
2011128187.tif 000012
【図１１】
2011128187.tif 000013
【図１２】
2011128187.tif 000014